(57)【要約】【課題】  取付箇所を目視しながら取付作業を行えるようにする。【解決手段】  アンテナ本体１０の背面に組み付けられた第２取付金具３０の右側板３３と上板３１および下板３２との間隙である切欠部３３ｂに、壁面に取り付けられた第１取付金具２０に装着されている軸ボルト２４を目視しながら位置合わせする。そして、アンテナ本体１０を移動させて軸ボルト２４を切欠部３３ｂから上板３１および下板３２に形成されている連通溝内に導入していく。軸ボルト２４を上板３１および下板３２に形成されている中央溝、第１溝、第２溝の内の一つを選択して挿入し、アンテナ本体１０の方向調整を行った後に、軸ボルト２４を締着する。【選択図】  図６
2015115804.tif 000002
【特許請求の範囲】
【請求項１】
アンテナ本体に組み付けられる第２取付金具と、被取付物に取り付けられる第１取付金具とからなるアンテナ取付装置であって、
被取付物に取り付け可能な平面状の取付面板と、該取付面板の上端および下端においてほぼ直角に折曲されて互いに対面するよう延伸された第１取付足および第２取付足とを有し、該第２取付足の先端部に軸ボルトを挿通可能な挿通孔が形成され、該第１取付足の先端部に前記軸ボルトが螺合可能な螺着手段が設けられている前記第１取付金具と、
矩形状の前板と、該前板の４辺からほぼ直角に折曲されて形成された上板、下板、左側板、右側板とからなり、前記左側板および前記右側板の一方と前記上板および前記下板との角部に切欠部がそれぞれ形成され、前記上板および前記下板には、奥行き方向に形成された複数本の溝と、該複数本の溝の前記前板側の端部を連通すると共に、前記切欠部が形成されている側の前記上板および前記下板の側端まで連通溝が形成されている前記第２取付金具とを備え、
前記第２取付金具は、前記アンテナ本体の背面に形成されている凸部に嵌挿されるように組み付けることができ、前記アンテナ本体に組み付けられた前記第２取付金具を、被取付物に取り付けられた前記第１取付金具に組み付ける際に、前記第１取付金具の前記挿通孔に挿通されて前記螺着手段に螺着された前記軸ボルトを、前記切欠部から前記連通孔内に導入して、前記複数本の溝の内の選択した一つの溝に前記軸ボルトを挿入することにより、前記アンテナ本体を所定角度範囲において方向調整することが可能とされ、前記軸ボルトを締着することにより、前記第１取付足および前記第２取付足の間に前記上板および前記下板とを挟持して固着できることを特徴とするアンテナ取付装置。
【請求項２】
前記アンテナ本体の背面に形成されている前記凸部には、前記第２取付金具が組み付けられた際に、前記上板および前記下板に形成されている前記複数本の溝のそれぞれに上端と下端とが重なるようになる複数の凹部が縦方向に形成されており、前記複数本の溝の内の選択した一つの溝に前記軸ボルトを挿入した際に、当該選択した一つの溝に対応する前記複数の凹部の内の一つの凹部内に前記軸ボルトが挿入されることを特徴とする請求項１記載のアンテナ取付装置。
【請求項３】
前記アンテナ本体の背面に形成されている前記凸部の上面および下面には、位置決め用ボスとネジ穴とが形成されており、前記第２取付金具の前記上板および前記下板には、挿通孔と係合部がそれぞれ形成されており、前記第２取付金具が組み付けられた際に、前記位置決め用ボスが前記係合部に係合すると共に、前記ネジ穴に前記挿通孔が重なって、前記挿通孔に挿通した固定ネジを前記ネジ穴に締着することにより、前記凸部に前記第２取付金具が組み付けられることを特徴とする請求項１または２記載のアンテナ取付装置。
【請求項４】
前記位置決め用ボスと前記ネジ穴とは、前記凸部の上面および下面に点対称に形成されていると共に、前記挿通孔と前記係合部とは、前記第２取付金具の前記上板および前記下板に点対称に形成されて、前記第２取付金具の上下を反対にして前記凸部に組み付けることが可能とされていることを特徴とする請求項３記載のアンテナ取付装置。
【請求項５】
前記上板および前記下板に形成された前記複数本の溝は、ほぼ中央に形成された中央溝と、左右に形成された第１溝および第２溝とされており、互いにほぼ平行に形成されていることを特徴とする請求項１ないし４のいずれかに記載のアンテナ取付装置。
【発明の詳細な説明】
【技術分野】
【０００１】
本発明は、アンテナを壁面やアンテナポールに取り付けられるアンテナ取付装置に関し、特に薄型アンテナの取り付けに適用して好適なアンテナ取付装置に関する。
【背景技術】
【０００２】
地上デジタルテレビ放送を受信する従来のアンテナとして、八木アンテナや薄型アンテナが知られている。薄型アンテナはケースを備えており、一般的に平面状とされたアンテナ素子がケース内に内蔵されている。この薄型アンテナは、アンテナポールに取り付けるだけではなく、ベランダや壁面などの設置場所に設置することが望まれており、住宅等の外壁やベランダに設置しても違和感がないような良好なデザインとされている。このため、薄型アンテナを取り付けるためのアンテナ取付装置には、壁面やアンテナポールなどへの薄型アンテナの取り付けを可能とすることができると共に、薄型アンテナの方向調整を行えることが望まれている。
【０００３】
従来のアンテナ取付装置（特許文献１参照）の構成を図２１に示す。この図に示すように、従来のアンテナ取付装置３３０は、薄型アンテナのアンテナ本体２００を壁面１００に取り付ける取付装置とされている。アンテナ本体２００は、電波受信面２１０と、アンテナ本体２００の背面側に位置しアンテナ本体２００の長手方向に沿って延びる取付面２２０と、取付面２２０からアンテナ本体２００の内部側に向かって凹む取付用凹部２５０とを含んでいる。アンテナ取付装置３３０は、壁面１００に設けられる第１取付具３１０と、取付用凹部２５０に設けられ、第１取付具３１０の一部を受け入れ可能な保持部を有する第２取付具３２０とを含む。第２取付具３２０の保持部に第１取付具３１０の一部が受け入れられて第２取付具３２０が第１取付具３１０に取り付けられることによって、アンテナ本体２００は壁面１００に取り付けられる。また、第１取付具３１０の中間部材３１３が第２取付具３２０の上下に設けられた延材部３２１，３２２の長孔内を移動することにより、アンテナ本体２００の方向調整を行うことができる。
【０００４】
従来の他のアンテナ取付装置（特許文献２参照）の構成を図２２に示す。この図に示すように、従来の他のアンテナ取付装置４６０は、薄型アンテナであるアンテナ装置４０１をアンテナマスト４０５や壁面に取り付ける取付装置とされている。支持部４１０は、相互に対向配置される一対の端面４１１ａ・４１１ｂを貫通する貫通孔４１５と、少なくとも前記一対の端面における一方側の端面４１１ａに備えられ、当該端面に沿うように形成された支持腕と当該支持腕の先端部に前記端面より外方向に突出するように備えられた先窄み状に形成された係止凸部４１７ａとからなる係止弾性片を備える。アンテナ取付部材４２０は、前記一対の端面を挟み込むように配置される一対の板体であって、相互に対向する位置に軸線を一致させるように設けた雌ネジ部４２９Ａ・４２９Ｂと、係止凸部４１７ａを受入れ嵌合する大きさに形成された係止凹部４２７ａが設けられた一対の当付片４２１ａ・４２１ｂを備える。雌ネジ部４２９Ｂに挿通したボルト体４３０を貫通孔４１５に挿通して、雌ネジ部４２９Ａに螺合することで、支持部４１０がアンテナ取付部材４２０に装着され、係止凸部４１７ａと係止凹部４２７ａとが係脱自在に嵌合して、支持部４１０はアンテナ取付部材４２０に仮設置できる。一対の端面４１１ａ・４１１ｂに設けられた支持孔４１２における弧状のスライド孔内を、ボルト体４３０を移動させることにより、アンテナ装置４０１の方向調整を行うことができる。
【先行技術文献】
【特許文献】
【０００５】
【特許文献１】特開２０１３−１６２４６０号公報
【特許文献２】特開２０１３−６６１２５号公報
【発明の概要】
【発明が解決しようとする課題】
【０００６】
ところで、薄型アンテナを建物等の壁面に取り付ける場合は、受信したい電波の到来方向を考慮して設置場所を選定することになるが、設置する際の工事の足場も考慮して設置場所を選定することになる。このため、薄型アンテナの指向方向と受信したい電波の到来方向とが一致していない設置場所が選定される場合があり、薄型アンテナを電波到来方向に向けるように、その取付角度を調整する必要があった。すなわち、アンテナ取付装置には方向調整を行える機能が求められると共に、さらに、アンテナ取付装置には、薄型アンテナを十分な機械強度で支持できると共に、簡単で安全に取付工事を行える構造であることが求められる。
従来のアンテナ取付装置は、壁面に設けられた第１取付具の中間部材を、アンテナ本体の背面に設けられた第２取付具の延材部の長孔内に挿入して固着しており、アンテナ本体の方向調整を行える構造とされている。しかしながら、壁面に設けられた第１取付具に、アンテナ本体の背面に設けられた第２取付具を取り付ける際に、壁面に対してアンテナ本体をほぼ平行にして取り付けるようになるが、第１取付具および第２取付具の取り付け箇所を目視しながら取り付けるだけの間隔を確保しづらく、多くの場合は目視できない状態で取付作業を行っていた。さらに、固着する際においては壁面とアンテナ本体との狭い間隔内に手を差し入れてパイプ部材に挿入されたボルトを締着することになるが、この際にも目視しながら作業をすることが困難であった。このように、設置作業を目視しながら行うことが困難であることから、簡易に設置作業を行うことができないという問題点があった。
【０００７】
また、従来の他のアンテナ取付装置においても、壁面に設けられたアンテナ取付部材の一対の当付片の一方に挿通したボルト体を、アンテナ装置の背面に設けられた支持部の貫通孔に挿通して当付片の他方の雌ネジ部に螺合することで、アンテナ装置を壁面に取り付けており、貫通孔に連通するスライド孔内をボルト体が移動することでアンテナ装置の方向調整を行える構造とされている。しかしながら、壁面に対してアンテナ本体をほぼ平行にして取り付けるようになることから、壁面に設けられたアンテナ取付部材に、アンテナ本体の背面に設けられた支持部を取り付ける作業を、アンテナ取付部材および支持部の取り付け箇所を目視しながら行うだけの間隔を確保しづらかった。従って、ボルト体をアンテナ装置の背面に設けられた支持部の貫通孔に挿通して当付片の他方の雌ネジ部に螺合する作業を、多くの場合は目視できない状態で行っていた。このように、設置作業を目視しながら行うことが困難であることから、簡易に設置作業を行うことができないという問題点があった。
【０００８】
そこで、本発明は、方向調整を行える機能を有し、取付箇所を目視しながら取付作業を行うことができるアンテナ取付装置を提供することを目的としている。
【課題を解決するための手段】
【０００９】
本発明のアンテナ取付装置は、アンテナ本体に組み付けられる第２取付金具と、被取付物に取り付けられる第１取付金具とからなるアンテナ取付装置であって、被取付物に取り付け可能な平面状の取付面板と、該取付面板の上端および下端においてほぼ直角に折曲されて互いに対面するよう延伸された第１取付足および第２取付足とを有し、該第２取付足の先端部に軸ボルトを挿通可能な挿通孔が形成され、該第１取付足の先端部に前記軸ボルトが螺合可能な螺着手段が設けられている前記第１取付金具と、矩形状の前板と、該前板の４辺からほぼ直角に折曲されて形成された上板、下板、左側板、右側板とからなり、前記左側板および前記右側板の一方と前記上板および前記下板との角部に切欠部がそれぞれ形成され、前記上板および前記下板には、奥行き方向に形成された複数本の溝と、該複数本の溝の前記前板側の端部を連通すると共に、前記切欠部が形成されている側の前記上板および前記下板の側端まで連通溝が形成されている前記第２取付金具とを備え、前記第２取付金具は、前記アンテナ本体の背面に形成されている凸部に嵌挿されるように組み付けることができ、前記アンテナ本体に組み付けられた前記第２取付金具を、被取付物に取り付けられた前記第１取付金具に組み付ける際に、前記第１取付金具の前記挿通孔に挿通されて前記螺着手段に螺着された前記軸ボルトを、前記切欠部から前記連通孔内に導入して、前記複数本の溝の内の選択した一つの溝に前記軸ボルトを挿入することにより、前記アンテナ本体を所定角度範囲において方向調整することが可能とされ、前記軸ボルトを締着することにより、前記第１取付足および前記第２取付足の間に前記上板および前記下板とを挟持して固着できることを最も主要な特徴としている。
【発明の効果】
【００１０】
本発明のアンテナ取付装置は、アンテナ本体の背面に組み付けられた第２取付金具の右側板あるいは左側板と上板および下板との間隙である切欠部に、壁面に取り付けられた第１取付金具に装着されている軸ボルトを位置合わせする作業は、壁面に対してアンテナ本体をほぼ直交するよう斜めにして行えることから、その作業を目視しながら行えるようになる。そして、アンテナ本体を移動させて軸ボルトを切欠部から上板および下板に形成されている連通溝内に導入していき、軸ボルトを上板および下板に形成されている複数本の溝の内の選択した一つの溝に挿入して、アンテナ本体の方向調整を行うことができる。方向調整を行った後には、軸ボルトを締着することによりアンテナ本体を壁面に固着することができる。このように、本発明のアンテナ取付装置においては、取付箇所を目視しながら取付作業を行うことができ、また、方向調整を行える機能を有している。
【図面の簡単な説明】
【００１１】
【図１】本発明の実施例にかかるアンテナ取付装置を備えるアンテナ本体の構成を示す背面図である。
【図２】本発明の実施例にかかるアンテナ取付装置を備えるアンテナ本体の構成を示す左側面図、右側面図である。
【図３】本発明の実施例にかかるアンテナ取付装置を備えるアンテナ本体の構成を示す上面図、下面図である。
【図４】本発明の実施例にかかるアンテナ取付装置の第２取付金具をアンテナ本体に組み付ける工程を示す斜視図である。
【図５】本発明の実施例にかかるアンテナ取付装置の第２取付金具をアンテナ本体に組み付けた構成を示す斜視図である。
【図６】本発明の実施例にかかるアンテナ取付装置の第２取付金具を第１取付金具に組み付ける工程を示す斜視図である。
【図７】本発明の実施例にかかるアンテナ取付装置の第２取付金具を第１取付金具に組み付ける工程を示す上面図、組み付けた構成を示す上面図である。
【図８】本発明の実施例にかかるアンテナ取付装置を備えるアンテナ本体の方向調整の範囲を示す上面図である。
【図９】本発明の実施例にかかるアンテナ取付装置を備えるアンテナ本体の他の方向調整の範囲を示す上面図である。
【図１０】本発明の実施例のアンテナ取付装置が備えられるアンテナ本体の構成を示す背面図、上面図である。
【図１１】本発明の実施例のアンテナ取付装置が備えられるアンテナ本体の構成を示す左側面図、右側面図、下面図である。
【図１２】本発明の実施例のアンテナ取付装置が備えられるアンテナ本体の後ケースの構成を示す斜視図、取付片の構成を示す斜視図である。
【図１３】本発明の実施例にかかるアンテナ取付装置の第２取付金具の構成を示す右上前面側から見た斜視図、右下背面側から見た斜視図、左上背面側から見た斜視図、左下前面側から見た斜視図である。
【図１４】本発明の実施例にかかるアンテナ取付装置の第２取付金具の構成を示す正面図、上面図、下面図である。
【図１５】本発明の実施例にかかるアンテナ取付装置の第２取付金具の構成を示す右側面図、左側面図面図、背面図である。
【図１６】本発明の実施例にかかるアンテナ取付装置の第１取付金具の構成を示す右上前面側から見た斜視図、左下前面側から見た斜視図、左上背面側から見た斜視図、右下背面側から見た斜視図である。
【図１７】本発明の実施例にかかるアンテナ取付装置の第１取付金具の構成を示す正面図、上面図、下面図である。
【図１８】本発明の実施例にかかるアンテナ取付装置の第１取付金具の構成を示す右側面図、左側面図、背面図である。
【図１９】本発明の実施例にかかるアンテナ取付装置の第２取付金具をアンテナ本体に組み付ける他の構成を示す斜視図である。
【図２０】本発明の実施例にかかるアンテナ取付装置の第２取付金具に第３取付金具を組み付ける構成を示す斜視図である。
【図２１】従来のアンテナ取付装置の構成を示す斜視図である。
【図２２】従来のアンテナ取付装置の他の構成を示す斜視図である。
【発明を実施するための形態】
【００１２】
本発明の実施例にかかるアンテナ取付装置を備えるアンテナ本体の構成を図１ないし図３に示す。図１は本発明にかかるアンテナ取付装置１を備えるアンテナ本体１０の構成を示す背面図であり、図２（ａ）（ｂ）は上記アンテナ本体１０の構成を示す左側面図および右側面図であり、図３（ａ）（ｂ）は上記アンテナ本体１０の構成を示す上面図および下面図である。
これらの図に示すように、アンテナ本体１０を建物等の壁部に取り付けることのできる本発明の実施例にかかるアンテナ取付装置１が、アンテナ本体１０の背面の下部に設けられている。アンテナ本体１０は薄型アンテナとされ、前ケース１１ａと後ケース１１ｂとからなる厚さが薄くされ縦に長い直方体状のケース１１を備え、ケース１１内に平面アンテナ等の厚さが薄く構成されたアンテナ素子が収納されている。このアンテナ素子は、例えば地上デジタルテレビ放送を受信するアンテナ素子とされている。前ケース１１ａは樹脂製とされ、前面の左寄りから高さの低い山形が縦方向に突出するよう形成されており、背面が開口された箱状とされている。後ケース１１ｂも樹脂製とされて前面が開口されており、前ケース１１ａの開口面を閉塞するように前ケース１１ａに嵌合されている。これにより、収納空間が内部に形成されたケース１１が構成されている。
【００１３】
この後ケース１１ｂの背面の中央よりやや上部に後方へ突出する直方体状の突出部１１ｃが形成されており、背面の下部には第１取付金具２０と第２取付金具３０とからなるアンテナ取付装置１が設けられている。突出部１１ｃの下面からは同軸接栓である第１接栓１２および第２接栓１３が突出して設けられている。第１接栓１２には、図示しない衛星放送受信アンテナにより受信された衛星放送受信信号を入力することができ、衛星放送受信信号が入力された際にケース１１に内蔵されたアンテナ素子で受信された受信信号と混合部で混合されて、この混合された信号が第２接栓１３から出力される。混合部は、突出部１１ｃ内に設けることができる。なお、突出部１１ｃは、図２に示すように上部より下部が後方へ突出するよう突出面が傾斜して設けられており、第１接栓１２および第２接栓１３とは先端に行くほど後ケース１１ｂの背面から間隔が開くように傾斜して取り付けられている。このように、第１接栓１２および第２接栓１３とが傾斜して取り付けられていることから、同軸ケーブルの先端に設けられた同軸プラグを第１接栓１２および第２接栓１３に容易に装着することができるようになる。
【００１４】
また、後ケース１１ｂの背面の下部に設けられている本発明にかかるアンテナ取付装置１は、建物等の壁面に取り付けることができる第１取付金具２０と、第１取付金具２０に所定の角度範囲内において組み付けることができる第２取付金具３０とから構成されている。この場合、アンテナ本体１０の背面に第２取付金具３０が設けられていることから、アンテナ取付装置１によりアンテナ本体１０の方向調整を行うことができる。また、後述する第３取付金具４０と第１取付金具２０とを組み合わせることにより、第１取付金具２０をアンテナポールに取り付けることもできる。
【００１５】
本発明にかかるアンテナ取付装置１の第２取付金具３０をアンテナ本体１０に組み付ける工程を示す斜視図を図４に、その組み付けた構成を示す斜視図を図５に示すが、その説明を行う前にアンテナ本体１０、第１取付金具２０および第２取付金具３０の詳細を説明する。
図１０（ａ）（ｂ）はアンテナ本体１０の構成を示す背面図、上面図であり、図１１（ａ）（ｂ）（ｃ）は、アンテナ本体１０の構成を示す左側面図、右側面図、下面図である。これらの図に示すように、アンテナ本体１０は前ケース１１ａと後ケース１１ｂとを備えており、前ケース１１ａと後ケース１１ｂとが嵌合されることにより、内部にアンテナ素子を収納する収納空間を備えるケース１１が構成されている。後ケース１１ｂの背面の中央よりやや上部には、直方体状の突出部１１ｃが後方へ突出するよう形成されており、背面の下部にはほぼ直方体状の矩形状凸部１４が後方へ突出するよう形成されている。突出部１１ｃの下面からは、同軸接栓である第１接栓１２および第２接栓１３が下方へ突出するよう傾斜して設けられている。矩形状凸部１４の前面にはほぼ中央に断面がＵ字状の中央凹部１４ａが縦方向に形成され、左側には断面がＵ字状の第１凹部１４ｂが中央凹部１４ａにほぼ平行に形成され、右側には断面がＵ字状の第２凹部１４ｃが中央凹部１４ａにほぼ平行に形成されている。このように、矩形状凸部１４の前面には、３本の凹部１４ａ〜１４ｃがほぼ平行に縦方向に形成されており、中央凹部１４ａの深さが第１凹部１４ｂおよび第２凹部１４ｃより深く形成されている。矩形状凸部１４の上面には、中央凹部１４ａと第１凹部１４ｂとの中間に断面が円形の位置決め用ボス１４ｄが若干突出して形成され、中央凹部１４ａと第２凹部１４ｃとの中間に図示しないネジ穴が形成されている。また、矩形状凸部１４の下面には、中央凹部１４ａと第１凹部１４ｂとの中間にネジ穴１４ｆが形成され、中央凹部１４ａと第２凹部１４ｃとの中間に位置決め用ボス１４ｄと同形状の位置決め用ボス１４ｅが形成されている。なお、矩形状凸部１４の上面と下面には、上面の位置決め用ボス１４ｄと下面の位置決め用ボス１４ｅとが同形状で点対称に形成されていると共に、上面の図示されていないネジ穴１４ｇと下面のネジ穴１４ｆとが点対称で形成されている。
【００１６】
また、後ケース１１ｂの内側の構成を斜視図で図１２に示すが、後ケース１１ｂの内側には前ケース１１ａと嵌合した際に、前ケース１１ａに締着するネジを挿通する複数のボスや内蔵するアンテナ素子を固着するための複数のボスが立設されている。また、後ケース１１ｂの内面の下部において矩形状凸部１４に対応する部位が凹状に形成されており、この部位に金属製の取付片１５が装着されている。取付片１５は、中央に係合孔１５ｅが形成され、その両側に挿通孔１５ｄがそれぞれ形成された横方向に短く伸びる横部分と、この横部分の両端から縦方向で互いに反対方向へ延伸する縦部分からなる本体部１５ａを備えている。この縦部分の先端には同方向へ折曲された折曲部１５ｂ，１５ｃがそれぞれ形成され、折曲部１５ｂ、１５ｃにはそれぞれタップ穴１５ｆ，１５ｇが形成されている。この取付片１５を後ケース１１ｂの上記凹状の部分に装着すると、挿通孔１５ｄおよび係合孔１５ｅが上記凹状の部分に立設されている凸部に係合して固着され、タップ穴１５ｆ，１５ｇにより矩形状凸部１４の上面と下面とにネジ穴１４ｇ，１４ｆが形成されるようになる。なお、挿通孔１５ｄあるいは係合孔１５ｅにネジを挿通して、後ケース１１ｂに締着することにより取付片１５を後ケース１１ｂ内に固着しても良い。
【００１７】
次に、第２取付金具３０の詳細構成を図１３ないし図１５に示す。図１３（ａ）（ｂ）（ｃ）（ｄ）は第２取付金具３０の構成を示す右上前面側から見た斜視図、右下背面側から見た斜視図、左上背面側から見た斜視図、左下前面側から見た斜視図であり、図１４（ａ）（ｂ）（ｃ）は第２取付金具３０の構成を示す正面図、上面図、下面図であり、図１５（ａ）（ｂ）（ｃ）は第２取付金具３０の構成を示す右側面図、左側面図面図、背面図である。
第２取付金具３０は金属板を加工することにより形成されており、これらの図に示すように、前板３５は矩形状とされており、前板３５の上辺からほぼ直角に折曲されて形成された上板３１と、前板３５の下辺からほぼ直角に折曲されて形成された下板３２と、前板３５の右側辺からほぼ直角に折曲されて形成された右側板３３と、前板３５の左側辺からほぼ直角に折曲されて形成された左側板３４とから構成されている。すなわち、第２取付金具３０は、背面が開口された直方体状に形成されている。上板３１にはほぼ中央に先端が半円状とされた中央溝３１ａが奥行き方向に形成され、中央溝３１ａの左側に先端が半円状とされた第１溝３１ｂが中央溝３１ａにほぼ平行にやや短く形成され、中央溝３１ａの右側に先端が半円状とされた第２溝３１ｃが中央溝３１ａにほぼ平行にやや短く形成されている。中央溝３１ａないし第２溝３１ｃの３つの溝の前板３５側の端は、前板３５側に寄って上板３１に横方向に形成されている連通溝３１ｄにより互いに連通されている。また、下板３２にもほぼ中央に先端が半円状とされた中央溝３２ａが奥行き方向に形成され、中央溝３２ａの左側に先端が半円状とされた第１溝３２ｂが中央溝３２ａにほぼ平行にやや短く形成され、中央溝３２ａの右側に先端が半円状とされた第２溝３２ｃが中央溝３２ａにほぼ平行にやや短く形成されている。中央溝３２ａないし第２溝３２ｃの３つの溝の前板３５側の端は、前板３５側に寄って下板３２に横方向に形成されている連通溝３２ｄにより互いに連通されている。なお、連通溝３１ｄ，３２ｄは、上板３１および下板３２における右側板３３側の側端まで形成されており、側端の近傍においては湾曲して形成されている。この場合、２つの連通溝３１ｄ，３２ｄは上板３１と下板３２とを重ねた際に同形状になるよう対称に形成されている。
【００１８】
右側板３３の端部には斜めに折曲された折曲部３３ａが形成されて、背面側に行くほど上板３１および下板３２との間隔が広がっている。また、上板３１および下板３２における側端と右側板３３の側端との間に間隙を持つように、右側板３３と上板３１および下板３２との境界である角部を切り欠いた切欠部３３ｂがそれぞれの角部に形成されている（図１５（ｃ）参照）。図１４（ｂ）（ｃ）に示すように連通溝３１ｄ，３２ｄは、上記した湾曲している部分を介して右側板３３と上板３１および下板３２との上記間隙に通じており、さらに右側板３３に形成されている折曲部３３ａとの間隙を通り第２取付金具３０の外部に通じている。
また、上板３１の背面側の端部には、中央溝３１ａを挟むように左側に係合部３１ｆが右側に挿通孔３１ｅが形成され、下板３２の背面側の端部には、中央溝３２ａを挟むように左側に挿通孔３２ｅが右側に係合部３２ｆが形成されている。係合部３１ｆ，３２ｆは、後ケース１１ｂの矩形状凸部１４に形成されている位置決め用ボス１４ｄ，１４ｅがそれぞれ係合可能なＵ字状の溝とされており、挿通孔３１ｅ，３２ｅは、挿通したネジを後ケース１１ｂの矩形状凸部１４の上面と下面とに形成されているネジ穴１４ｆ，１４ｇに螺着することができる円形の孔とされている。なお、上板３１の係合部３１ｆと下板３２の係合部３２ｆとは同形状で点対称に第２取付金具３０形成されていると共に、上板３１の挿通孔３１ｅと下板３２の挿通孔３２ｅとは同形状で点対称に第２取付金具３０形成されている。
さらに、上板３１ないし前板３５で構成される第２取付金具３０においてほぼ直角に折曲されている各角部には、クサビ状に打ち込まれて形成された補強部３６が複数ずつ形成されている。また、右側板３３、左側板３４、前板３５は矩形や円形に切り抜かれた切り抜き部が形成されているが、切り抜き部は第２取付金具３０を十分な機械的強度を保ちながら軽量にするために設けられている。
【００１９】
次に、第１取付金具２０の詳細構成を図１６ないし図１８に示す。図１６（ａ）（ｂ）（ｃ）（ｄ）は軸ボルト２４を組み合わせた第１取付金具２０の構成を示す右上前面側から見た斜視図、左下前面側から見た斜視図、左上背面側から見た斜視図、右下背面側から見た斜視図であり、図１７（ａ）（ｂ）（ｃ）は第１取付金具２０の構成を示す正面図、上面図、下面図であり、図１８（ａ）（ｂ）（ｃ）は第１取付金具２０の構成を示す右側面図、左側面図、背面図である。
第１取付金具２０は金属板を加工することにより形成されており、これらの図に示すように、縦長の矩形状とされた取付面板２１と、取付面板２１の上端においてほぼ直角に前方へ折曲されて山形状に延伸された第１取付足２２と、取付面板２１の下端においてほぼ直角に前方へ折曲されて山形状に延伸され、第１取付足２２と対面するようほぼ平行に設けられた第２取付足２３とから構成されている。平面状とされた取付面板２１のほぼ中央部にくの字状に凹んだ凹部２１ｂが長軸方向に形成されており、凹部２１ｂを挟んで両側に一対のネジ穴２１ａが短軸方向に並んで形成されている。このネジ穴２１ａが形成されている位置に相当する取付面板２１の第１取付足２２および第２取付足２３が延伸している側の面には六角ナットがそれぞれ溶接されて設けられている。取付面板２１の周囲はほぼ直交して前方へ折曲された壁部が形成されて機械的強度が向上されている。
【００２０】
第１取付足２２の先端部の上面には六角形のナット２５が溶接されており、斜辺とされた両側縁の一部が上方へ折曲されて機械的強度が向上されている。また、第２取付足２３の先端部には軸ボルト２４を挿通することのできる円形の挿通孔２３ｂが形成されており、斜辺とされた両側縁の一部が下方へ折曲されて機械的強度が向上されている。軸ボルト２４は、第２取付足２３の挿通孔２３ｂに下方から挿通されて上部が第１取付足２２のナット２５に螺合されている。ただし、図１７，１８においては軸ボルト２４は省略されている。なお、取付面板２１の前面には上向き矢印の中に「上」と表記されて、第１取付足２２が上になるよう配置して、建物の壁面等に取り付けることが指示されている。これにより、軸ボルト２４の頭部は必ず第１取付金具２０の最下端に位置するようになる。なお、第１取付金具２０を建物の壁面等に取り付ける際には、取付面板２１に形成されている複数の矩形状の切り欠きに挿通したネジを壁面に締着するようにする。また、第１取付金具２０の軽量化を図るため、取付面板２１には複数の矩形状の切り抜きが設けられている。
【００２１】
図４に戻り本発明にかかるアンテナ取付装置１の第２取付金具３０をアンテナ本体１０に組み付ける工程の説明を行う。
図４に示すように、アンテナ本体１０における後ケース１１ｂの背面の下部に形成されている矩形状凸部１４に、第２取付金具３０を背面側から嵌挿していく。第２取付金具３０を矩形状凸部１４に押し込んでいくと、矩形状凸部１４の上面のネジ穴１４ｇ上に第２取付金具３０の上板３１に形成された挿通孔３１ｅが重なると共に、矩形状凸部１４の上面に形成された位置決め用ボス１４ｄが上板３１に形成された係合部３１ｆに嵌入されて係合するようになる。また、図示されていないが矩形状凸部１４の下面のネジ穴１４ｆに第２取付金具３０の下板３２に形成された挿通孔３２ｅが重なると共に、矩形状凸部１４の下面に形成された位置決め用ボス１４ｅが下板３２に形成された係合部３２ｆに嵌入されて係合するようになる。次いで、挿通孔３１ｅ，３２ｅにそれぞれ固定ネジ５１を挿通して、２本の固定ネジ５１をネジ穴１４ｇ，１４ｆにそれぞれ締着する。
【００２２】
これにより、第２取付金具３０が矩形状凸部１４に嵌挿された状態で固着されて、アンテナ本体１０の背面の下部に第２取付金具３０が組み付けられる。この第２取付金具３０がアンテナ本体１０に組み付けられた状態を図５に示すが、図５に示すように矩形状凸部１４の中央凹部１４ａの上端と下端に上板３１および下板３２に形成されている中央溝３１ａ，３２ａがそれぞれ重なるようになり、矩形状凸部１４の第１凹部１４ｂの上端と下端に上板３１および下板３２に形成されている第１溝３１ｂ，３２ｂがそれぞれ重なるようになり、矩形状凸部１４の第２凹部１４ｃの上端と下端に上板３１および下板３２に形成されている第２溝３１ｃ，３２ｃがそれぞれ重なるようになる。また、第２取付金具３０がアンテナ本体１０に組み付けられた状態では、アンテナ本体１０の下面が第２取付金具３０の下板３２の下面にほぼ一致すると共に、アンテナ本体１０を背面から見て第２取付金具３０の右側板３３が左側に位置するようになる。
【００２３】
次に、図５に示すように第１取付金具２０に、アンテナ本体１０に組み付けられた第２取付金具３０を組み付ける工程を示す斜視図を図６に、その工程を示す上面図を図７（ａ）に示し、組み付けた状態を示す上面図を図７（ｂ）に示す。なお、図７（ａ）（ｂ）においては突出部１１ｃを説明上省略して示している。
図示していないが、これらの図に示す第１取付金具２０は建物等の壁面に取り付けられている。また、第１取付金具２０の第１取付足２２と第２取付足２３との間に軸ボルト２４が予め装着されているが、第１取付金具２０における第１取付足２２と第２取付足２３との間隔は、第２取付金具３０の高さ以上となるよう軸ボルト２４のナット２５への螺合状態が調整されている。壁面に取り付けられている第１取付金具２０にアンテナ本体１０に組み付けられた第２取付金具３０を組み付ける時には、把持したアンテナ本体１０を長軸を回転軸として回転させて、第１取付金具２０が取り付けられている壁面に対してアンテナ本体１０をほぼ直交するよう斜めにする。この状態において第１取付金具２０に装着された軸ボルト２４に第２取付金具３０の右側板３３の側を相対させるが、アンテナ本体１０が壁面に対してほぼ直交するよう斜めになっていることから、軸ボルト２４に対する右側板３３の位置を横方向から目視しながら合わせることができる。そして、軸ボルト２４が右側板３３と上板３１および下板３２との間隙である上下の切欠部３３ｂから第２取付金具３０における上板３１および下板３２の連通溝３１ｄ，３２ｄ内に導入されるようアンテナ本体１０を移動させていく。
【００２４】
この上下の切欠部３３ｂから第２取付金具３０の連通溝３１ｄ，３２ｄ内に軸ボルト２４が導入される経路が図７（ａ）に２点鎖線の矢印線で示されている。このとき、アンテナ本体１０を移動させながら、軸ボルト２４を上板３１および下板３２の中央溝３１ａ，３２ａに挿通していくことができると共に、軸ボルト２４を上板３１および下板３２の第１溝３１ｂ，３２ｂあるいは第２溝３１ｃ，３２ｃに挿通していくことができる。なお、軸ボルト２４が連通溝３１ｄ，３２ｄ内に導入される際には、第１取付金具２０の第１取付足２２および第２取付足２３の間に、第２取付金具３０の上板３１および下板３２が挟持されるようになる。そして、軸ボルト２４が連通溝３１ｄ，３２ｄ内を摺動するようアンテナ本体１０を移動させる際には、第１取付足２２と第２取付足２３における斜辺とされた両側縁の一部が外方へ折曲されていることから、第１取付足２２および第２取付足２３の対面する面が第２取付金具３０の上板３１と下板３２の外面を滑らかに摺動するようになり、容易に移動できるようになる。
【００２５】
軸ボルト２４を中央溝３１ａに挿入した状態が図７（ｂ）に示されている。軸ボルト２４を中央溝３１ａに挿入した状態において、アンテナ本体１０の方向調整を行える範囲を上面図で図８（ａ）（ｂ）に示す。図８（ａ）は正面へ向けたアンテナ本体１０を上から見て左方向に回転できる角度が正面方向からθ１であることを示している。また、図８（ｂ）は正面へ向けたアンテナ本体１０を上から見て右方向に回転できる角度が正面方向からθ１であることを示している。このように、軸ボルト２４を中央溝３１ａに挿入した場合は、アンテナ本体１０を正面方向から左右に±θ１の角度で方向調整することができる。θ１は、例えば約１０°とされ、軸ボルト２４を中央溝３１ａに挿入した場合は、約２０°の角度範囲で方向調整を行えるようになる。方向調整を行える角度範囲は、中央溝３１ａを形成する深さを変えることで多少は変更することができる。この場合、中央溝３１ａの深さを深くすると角度範囲は狭まるようになり、中央溝３１ａの深さを浅くすると角度範囲は拡がるようになる。
【００２６】
また、軸ボルト２４を第２溝３１ｃに挿入した状態おいて、アンテナ本体１０の方向調整を行える範囲を上面図で図９（ａ）に示す。図９（ａ）は正面へ向けたアンテナ本体１０を上から見て左方向に回転できる角度がθ２であることを示している。θ２は、例えば約６０°とされ、軸ボルト２４を第２溝３１ｃに挿入した場合は、正面方向から左方向に約６０°の角度範囲で方向調整を行えるようになる。
さらに、軸ボルト２４を第１溝３１ｂに挿入した状態おいて、アンテナ本体１０の方向調整を行える範囲を上面図で図９（ｂ）に示す。図９（ｂ）は正面へ向けたアンテナ本体１０を上から見て右方向に回転できる角度がθ２であることを示している。θ２は、例えば約６０°とされ、軸ボルト２４を第１溝３１ｂに挿入した場合は、正面方向から右方向に約６０°の角度範囲で方向調整を行えるようになる。
【００２７】
このように、アンテナ本体１０の方向調整を行う方向および角度に応じて軸ボルト２４を挿入する溝として中央溝３１ａないし第２溝３１ｃの内の一つを選択する。選択された中央溝３１ａないし第２溝３１ｃの一つに軸ボルト２４が挿通された際には、選択された溝に対応する中央凹部１４ａないし第２凹部１４ｃの内の一つの凹部内に軸ボルト２４が挿入されるようになる。この状態において、方向調整を行って電波到来方向にアンテナ本体１０の指向方向が調整されたら、軸ボルト２４をナット２５に締着する。これにより、第１取付金具２０および第２取付金具３０からなる本発明にかかるアンテナ取付装置１により、アンテナ本体１０の方向を所望の方向に向けて建物等の壁面に強固に取り付けることができる。なお、軸ボルト２４を締着する場合は軸ボルト２４の下端の六角形の頭部をスパナ等で回転させるが、この軸ボルト２４の頭部はアンテナ本体１０の下面とほぼ同じ面に位置していることから、軸ボルト２４の頭部を目視しながらアンテナ本体１０に邪魔されることなく軸ボルト２４を締着することができる。なお、第１取付金具２０に軸ボルト２４が予め挿入された状態で、第２取付金具３０を組み付けることから、その組み付けの作業時に軸ボルト２４を第１取付金具２０に挿入する作業は不要となる。本発明にかかるアンテナ取付装置１においては、上記したようにアンテナ本体１０の取付作業を目視しながら行うことができることから、容易に取付作業を行うことができる。また、本発明にかかるアンテナ取付装置１においては、大きな角度範囲において方向調整を行える機能を有している。
【００２８】
また、第２取付金具３０をアンテナ本体１０に組み付ける場合に、上記した図４に示す場合に替えて第２取付金具３０を上下反対にして組み付けることができる。このように組み付ける工程を斜視図で図１９に示す。
図１９に示す工程では第２取付金具３０の下板３２を上にすると共に上板３１を下にして、第２取付金具３０を矩形状凸部１４に挿入していく。第２取付金具３０を矩形状凸部１４に押し込んでいくと、矩形状凸部１４の上面のネジ穴１４ｇ上に第２取付金具３０の下板３２に形成された挿通孔３２ｅが重なると共に、矩形状凸部１４の上面に形成された位置決め用ボス１４ｄが下板３２に形成された係合部３２ｆに嵌入されて係合するようになる。また、図示されていないが矩形状凸部１４の下面のネジ穴１４ｆに第２取付金具３０の上板３１に形成された挿通孔３１ｅが重なると共に、矩形状凸部１４の下面に形成された位置決め用ボス１４ｅが上板３１に形成された係合部３１ｆに嵌入されて係合するようになる。次いで、挿通孔３１ｅ，３２ｅにそれぞれ固定ネジ５１を挿通して、２本の固定ネジ５１をネジ穴１４ｇ，１４ｆにそれぞれ締着する。このようにして第２取付金具３０をアンテナ本体１０に組み付けた場合も、第２取付金具３０が矩形状凸部１４を覆うように固着されて、アンテナ本体１０の背面の下部に第２取付金具３０が組み付けられる。第２取付金具３０を上下反対にしてもアンテナ本体１０を矩形状凸部１４に組み付けられるのは、上面の位置決め用ボス１４ｄおよびネジ穴１４ｇと、下面の位置決め用ボス１４ｅおよびネジ穴１４ｆとが、同形状で点対称に矩形状凸部１４に形成されていると共に、上板３１の係合部３１ｆおよび挿通孔３１ｅと、下板３２の係合部３２ｆおよび挿通孔３２ｅとが、同形状で点対称に第２取付金具３０に形成されているからである。
【００２９】
この上下反対にした第２取付金具３０がアンテナ本体１０に組み付けられた状態では、アンテナ本体１０を背面から見て第２取付金具３０の右側板３３が右側に位置するようになる。また、矩形状凸部１４の中央凹部１４ａと第１凹部１４ｂと第２凹部１４ｃの上端と下端に、下板３２および上板３１に形成されている中央溝３２ａ，３１ａと第１溝３２ｂ，３１ｂと第２溝３２ｃ，３１ｃとがそれぞれ重なるようになり、正立した第２取付金具３０をアンテナ本体１０に組み付けた状態と同様になる。
この場合において、アンテナ本体１０に組み付けられた第２取付金具３０を第１取付金具２０に組み付ける時は、第２取付金具３０の右側板３３が右側に位置することから、軸ボルト２４に対する右側板３３の位置を背面から見て左側の横方向から目視しながら合わせることができる。そして、右側板３３と下板３２および上板３１との間隙である上下の切欠部３３ｂから軸ボルト２４が第２取付金具３０の連通溝３２ｄ，３１ｄ内に挿入されるようアンテナ本体１０を移動させていく。アンテナ本体１０に組み付けられた第２取付金具３０を第１取付金具２０に組み付けた後に行う方向調整および軸ボルト２４の締着作業は、上記した通りであるのでその説明は省略する。なお、上記したアンテナ本体１０の取付作業は目視しながら行うことができることから、容易に取付作業を行うことができる。このように、上下反対にした第２取付金具３０をアンテナ本体１０に組み付けるのは、アンテナ本体１０を第１取付金具２０に組み付ける際に、左側にしか設置作業を行う場所がない設置場所にアンテナ本体を取り付ける場合に好適とされる。
【００３０】
本発明にかかるアンテナ取付装置１は、アンテナ本体１０をアンテナポールに取り付けることもできる。アンテナ本体１０をアンテナポールに取り付ける場合には、さらに第３取付金具４０を用いて第１取付金具２０をアンテナポールに取り付ける。第１取付金具２０をアンテナポールに取り付ける態様を示す斜視図を図２０に示す。
図２０に示すように、第３取付金具４０の前面は横長の平面状とされており、前面の両側には円形の挿通穴４０ｂがそれぞれ形成されている。第３取付金具４０の前面の上端および下端は後方へ折曲されて後方へ突出する挟持部４０ａがそれぞれ形成されている。この挟持部４０ａは斜面が階段状とされた山形に凹んでいる。この２つの挟持部４０ａに図示しないアンテナポールを当接し、２つの挿通穴４０ｂにそれぞれ取付ボルト４１を挿通して、第１取付金具２０における取付面板２１の両側のほぼ中央に形成されている２つのネジ穴２１ａに、２本の取付ボルト４１の先端部をそれぞれ螺着する。これにより、第３取付金具４０の２つの挟持部４０ａと、第１取付金具２０のほぼ中央に縦方向に形成されている凹部２１ｂとの間にアンテナポールが挟持されて固着されるようになる。この場合、挟持部４０ａの階段状の斜面がアンテナポールに喰い込んで強固に固着される。次いで、アンテナポールに取り付けられた第１取付金具２０に、アンテナ本体１０に組み付けられた第２取付金具３０を組み付けることにより、アンテナ本体１０をアンテナポールに取り付けることができる。なお、アンテナ本体１０に組み付けられた第２取付金具３０を第１取付金具２０に組み付ける工程は、上記した通りであるのでその説明は省略する。
【産業上の利用可能性】
【００３１】
上記の説明では、本発明のアンテナ取付装置は地上デジタルテレビ放送を受信するアンテナ本体用としたが、これに限るものではなく、他の薄型アンテナに適用することができる。
以上説明した本発明のアンテナ取付装置は、建物等の壁部やアンテナポール、さらにベランダなどの被取付物にアンテナ本体を取り付けることができる。また、建物の壁面の隅やベランダの隅などの、片側の一方に床がなく取付作業を他方の片側からしか行えない場合においても、第２取付金具の上下を変更してアンテナ本体に組み付けることで、他方の片側から視認しながら取付作業を行えるようになる。
また、以上説明した本発明のアンテナ取付装置の第２取付金具においては、右側板と上板および下板との境界である角部を切り欠いて切欠部を形成したが、左側板と上板および下板との境界である角部を切り欠いて切欠部を形成しても良い。この場合は、連通溝を上板および下板に右側板側の側端まで形成することに替えて、上板および下板に左側板側の側端まで連通溝を形成するようにする。
【符号の説明】
【００３２】
１  アンテナ取付装置、１０  アンテナ本体、１１  ケース、１１ａ  前ケース、１１ｂ  後ケース、１１ｃ  突出部、１２  接栓、１３  接栓、１４  矩形状凸部、１４ａ  中央凹部、１４ｂ  第１凹部、１４ｃ  第２凹部、１４ｄ  位置決め用ボス、１４ｅ  位置決め用ボス、１４ｆ  ネジ穴、１４ｇ  ネジ穴、１５  取付片、１５ａ  本体部、１５ｂ  折曲部、１５ｄ  挿通孔、１５ｅ  係合孔、１５ｆ，１５ｇ  タップ穴、２０  第１取付金具、２１  取付面板、２１ａ  ネジ穴、２１ｂ  凹部、２２  第１取付足、２３  第２取付足、２３ｂ  挿通孔、２４  軸ボルト、２５  ナット、３０  第２取付金具、３１  上板、３１ａ  中央溝、３１ｂ  第１溝、３１ｃ  第２溝、３１ｄ  連通溝、３１ｅ  挿通孔、３１ｆ  係合部、３２  下板、３２ａ  中央溝、３２ｂ  第１溝、３２ｃ  第２溝、３２ｄ  連通溝、３２ｅ  挿通孔、３２ｆ  係合部、３３  右側板、３３ａ  折曲部、３３ｂ  切欠部、３４  左側板、３５  前板、３６  補強部、４０  第３取付金具、４０ａ  挟持部、４０ｂ  挿通穴、４１  取付ボルト、５１  固定ネジ、１００  壁面、２００  アンテナ本体、２１０  電波受信面、２２０  取付面、２５０  取付用凹部、３１０  取付具、３１３  中間部材、３２０  取付具、３２１，３２２  延材部、３３０  アンテナ取付装置、４０１  アンテナ装置、４０５  アンテナマスト、４１０  支持部、４１１ａ  端面、４１２  支持孔、４１５  貫通孔、４１７ａ  係止凸部、４２０  アンテナ取付部材、４２１ａ  当付片、４２７ａ  係止凹部、４２９Ａ  雌ネジ部、４２９Ｂ  雌ネジ部、４３０  ボルト体、４６０  アンテナ取付装置
【図１】
2015115804.tif 000003
【図２】
2015115804.tif 000004
【図３】
2015115804.tif 000005
【図４】
2015115804.tif 000006
【図５】
2015115804.tif 000007
【図６】
2015115804.tif 000008
【図７】
2015115804.tif 000009
【図８】
2015115804.tif 000010
【図９】
2015115804.tif 000011
【図１０】
2015115804.tif 000012
【図１１】
2015115804.tif 000013
【図１２】
2015115804.tif 000014
【図１３】
2015115804.tif 000015
【図１４】
2015115804.tif 000016
【図１５】
2015115804.tif 000017
【図１６】
2015115804.tif 000018
【図１７】
2015115804.tif 000019
【図１８】
2015115804.tif 000020
【図１９】
2015115804.tif 000021
【図２０】
2015115804.tif 000022
【図２１】
2015115804.tif 000023
【図２２】
2015115804.tif 000024